(57)【要約】【課題】腰痛の改善効果が高く、複数の球状北投石による種々の放射線ホルミシス効果も発揮される腰ベルトを提供する。【解決手段】腰ベルト１０は、着用者の腰部に巻き付けられ、かつ長さ方向の中間部に腰部押し当て部１１が設けられるとともに、長さ方向の一端部に腹部押し当て部１２が設けられたベルト本体１３と、腰部押し当て部１１および腹部押し当て部１２にそれぞれ離間状態で固定され、かつ低線量率放射線を発生する複数の球状北投石１４とを備えたものである。【選択図】図１
2014147468.tif 000002
【特許請求の範囲】
【請求項１】
着用者の腰部に巻き付けられ、かつ長さ方向の中間部に腰部押し当て部が設けられるとともに、長さ方向の一端部に腹部押し当て部が設けられたベルト本体と、
低線量率放射線を発生し、かつ前記腰部押し当て部と前記腹部押し当て部とに、それぞれ複数個ずつ離間して固定された球状北投石とを備えた腰ベルト。
【発明の詳細な説明】
【技術分野】
【０００１】
この発明は腰ベルト、詳しくは着用者の腰部および腹部への低線量率放射線の照射によって腰部の筋肉の緊張が緩和され、従来のセラミックボールによる指圧効果では得られない、高い腰痛の改善効果が得られる腰ベルトに関する。
【背景技術】
【０００２】
従来、着用者の腰部に巻くことによって、腰部をサポートするとともに血行を促進する腰ベルトとして、例えば特許文献１に記載されたものが知られている。この従来の腰ベルトは、その長さ方向の中間部に複数の粒状物がそれぞれ離間して固定された。使用時には、その長さ方向の中間部を着用者の腰部に当てている。これにより、腰椎の両側を複数の粒状物により押圧し、腰部に指圧効果を与える。
【先行技術文献】
【特許文献】
【０００３】
【特許文献１】特開２００２−３４５８６６号公報
【発明の概要】
【発明が解決しようとする課題】
【０００４】
しかしながら、特許文献１の腰ベルトにあっては、これを着用者の腰部に巻き付けて各粒状物により腰部を押圧しただけでは、指圧効果による十分な血行促進効果が得られなかった。そのため、腰部のコリにより圧迫された血管内に老廃物が生成、蓄積され、反射的に筋肉が収縮して腰部の末梢神経を圧迫し、腰部の筋肉がさらに緊張する。これにより、腰椎などの骨格の歪みが発生して腰痛がさらに大きくなっていた。
また、従来の腰ベルトでは、指圧可能な範囲が着用者の腰部のみに限られてしまうという問題もあった。
【０００５】
そこで、発明者は鋭意研究の結果、腰ベルトの長さ方向の中間部と、この中間部を着用者の腰部に押し当てて腰ベルトを腰部に巻き付けたとき、着用者の腹部と対峙する領域とに、低線量率放射線を発生する北投石からなる複数のセラミックボール（球状北投石）を配設すれば、上述した問題はすべて解消されることを知見し、この発明を完成させた。
【０００６】
この発明は、腰痛の改善効果が高い腰ベルトを提供することを目的とする。
【課題を解決するための手段】
【０００７】
請求項１に記載の発明は、着用者の腰部に巻き付けられ、かつ長さ方向の中間部に腰部押し当て部が設けられるとともに、長さ方向の一端部に腹部押し当て部が設けられたベルト本体と、低線量率放射線を発生し、かつ前記腰部押し当て部と前記腹部押し当て部とに、それぞれ複数個ずつ離間して固定された球状北投石とを備えた腰ベルトである。
【０００８】
請求項１に記載の発明によれば、ベルト着用時、ベルト本体の長さ方向の中間部を着用者の腰部に当てがい、腰ベルトを腰部に巻き付ける。これにより、ベルト本体が腰部をサポートするとともに、腰部（腰椎の周辺）と腹部とに、複数の球状北投石がそれぞれ離間状態で配置される。その結果、各球状北投石に含まれるストロンチウムから腰部および腹部に低線量率放射線が照射され、人体の前後方向から腰部の筋肉の緊張が徐々に緩和されて行く。しかも、球状北投石の球体（セラミックボール）としての指圧効果も相乗的に加わり、腹部の筋肉の血行が十分に促進され、結果的に高い腰痛の改善効果を期待することができる。すなわち、腰ベルトを着用することで、腰部の筋肉バランスが整い、この腰部の末梢神経の圧迫が解消され、腰椎などの骨格の歪みがとれて、腰痛の高い改善効果を長期間得ることができる。
また、北投石に含有された微量のストロンチウムによって、腰部および腹部には、種々の放射線ホルミシス効果が発揮される。すなわち、低線量率放射線の腰部および腹部への照射により、腰部の筋肉が人体の前後方向から徐々に緩和され、抗酸化系酵素が活性されることで、老化防止効果およびガン抑制効果が期待できるとともに、免疫細胞が活性化することにより、風邪、インフルエンザにかかりにくい体質への肉体改善が期待できる。
【０００９】
ベルト本体の素材としては、各種の軟質合成樹脂（発泡性軟質合成樹脂を含む）、ゴム、布帛（織布、不織布、編布）などを採用することができる。ベルト本体は伸縮性のものでも、非伸縮性のものでもよい。また、ベルト本体の長さ方向の両端部には、各種のファスナなどの掛止部材を設けた方が好ましい。
ベルト本体の長さは、着用者の腰部に一重巻きする長さでも、二重巻き以上の長さでもよい。また、ベルト本体の幅は、その全長にわたって一定幅でも、部分的に幅が異なってもよい。
腰部押し当て部は、ベルト本体の長さ方向の中間部に、複数の北投石を互いに離間して固定するためのものである。また、腹部押し当て部は、ベルト本体の長さ方向の一端部に、複数の北投石を互いに離間状態で固定するためのものである。腰部押し当て部および腹部押し当て部は、ベルト本体と分離不能に一体形成したものでも、ベルト本体に分離可能に別体で取り付けたものでもよい。後者の場合、例えばベルト本体の長さ方向の中間部（腰当て領域）または一端部にポケットを設け、このポケットに別体の腰部押し当て部または腹部押し当て部を出し入れ自在に挿入する構成などが考えられる。
【００１０】
ここでいう「球状北投石」とは、台湾の台北州七星群北投街（現在の台北市北投区）の北投温泉と、秋田県の玉川温泉から産出された北投石を、球状に加工したものである。
球状への加工方法としては、例えば北投石の原石を研削して球状とする方法でも、北投石の粉末を球状に練り固めたものでもよい。その他、この粉末を金型に投入し、高圧圧縮して成型してもよい。粉末の北投石から作製する場合には、例えば各種の補強繊維などを混入してもよい。
球状北投石の原料となる北投石の成分は、中外テクノス株式会社の関東環境技術センターにおいて、蛍光Ｘ線装置ＥＤＸ-７００ＨＳを使用した定性定量法により実施された分析結果によれば、ケイ素４６．２５％、マグネシウム２１．６４％、バリウム１７．１３％、アルミニウム５．５１％、トリウム５．０１％、カルシウム２．０１％、硫黄１．２６％、鉄０．８２％、ストロンチウム０．２２％、ニッケル０．１５％であった。
【００１１】
球状北投石の直径は５〜２０ｍｍ、特に７〜８ｍｍが着用者の腰部および腹部の筋肉に対して、コリを緩和する適度な指圧効果が得られて好ましい。球状北投石の直径が７ｍｍ未満では、腰部および腹部の筋肉のコリを緩和するには、球体押し当ての刺激が小さい。また、８ｍｍを超えれば、腰部および腹部の筋肉のコリを緩和するには、刺激が大きすぎる。
球状北投石の腰部押し当て部および腹部押し当て部への固定方法としては、腰部押し当て部および腹部押し当て部に、複数の球状北投石を離間配置する複数の小ポケットを形成し、各小ポケットに球状北投石を１個ずつ収納する方法などを採用することができる。その他、各球状北投石を腰部押し当て部および腹部押し当て部に樹脂接着してもよい。なお、北投石に代えて、低線量率放射線を発生する微量の放射性物質（ラジウムなど）を含む放射性セラミックボールを採用してもよい。
【００１２】
放射線ホルミシス（Ｒａｄｉａｔｉｏｎ  ｈｏｒｍｅｓｉｓ）とは、大きな量（高線量）では有害な電離放射線であっても、小さな量（低線量）では生物活性を刺激したり、または以後の高線量照射に対しての抵抗性をもたらす適応応答を発揮することをいう。「ホルミシス」とは、ギリシア語で、「興奮する」という意味の「ホルマオ」を語源とする。
生体を構成する分子レベルにおけるホルミシス効果としては、抗酸化系酵素活性、ＳＯＤ活性の亢進、ＴＲＸの誘導合成、タンパク誘導合成、ガン抑制遺伝子ｐ５３の発現、脂質過酸化の低減、膜流動性の亢進、Ｎａ＋、Ｋ＋−ＡＴＰａｓｅ活性の亢進が期待される。また、細胞レベルにおけるホルミシス効果としては、適応応答の誘導、細胞増殖の亢進、染色体異常の低減、遺伝子損傷修復能の促進、免疫細胞の活性化、幼若化反応の亢進、サイトカイン産生の亢進などが期待される。さらに、個体レベルにおけるホルミシス効果としては、制がん・抗がん作用、ガン転移の抑制、胸腺リンパ腫の発生低減が期待される。さらにまた、活性酸素病に対する効果も期待される。
【発明の効果】
【００１３】
請求項１に記載の発明によれば、ベルト着用時、腰部押し当て部を着用者の腰部に当てがい、腹部押し当て部を着用者の腹部に当てがって腰ベルトを腰部に巻き付ける。これにより、ベルト本体が腰部をサポートするとともに、腰部（腰椎の周辺）と腹部とに、複数の球状北投石がそれぞれ離間状態で配置される。その結果、各球状北投石に含まれるストロンチウムから、腰部および腹部に低線量率放射線が照射され、よって人体の前後方向から腰部の筋肉の緊張が徐々に緩和されて行く。しかも、球状北投石の球体（セラミックボール）としての指圧効果も相乗的に加わり、腹部の筋肉の血行が十分に促進され、最終的に高い腰痛の改善効果が得られる。
また、北投石が含有する微量のストロンチウムによって、腰部および腹部には、種々の放射線ホルミシス効果が発揮される。すなわち、低線量率放射線の腰部および腹部への照射により、着用者の抗酸化系酵素が活性されて、老化防止効果およびガン抑制効果が期待できるとともに、免疫細胞が活性化することで、風邪、インフルエンザにかかりにくい体質への改善効果が期待できる。
【図面の簡単な説明】
【００１４】
【図１】この発明の実施例１に係る腰ベルトの背面図である。
【図２】この発明の実施例１に係る腰ベルトの正面図である。
【図３】この発明の実施例１に係る腰ベルトの腰部押し当て部の使用状態の拡大背面図である。
【図４】図３のＳ４−Ｓ４断面図である。
【図５】この発明の実施例１に係る腰ベルトの腹部押し当て部の拡大背面図である。
【図６】この発明の実施例１に係る腰ベルトの使用状態の斜視図である。
【発明を実施するための形態】
【００１５】
以下、この発明の実施例を具体的に説明する。
【実施例】
【００１６】
図１中、１０はこの発明の実施例１に係る腰ベルトで、この腰ベルト１０は、着用者の腰部に巻き付けられ、かつ長さ方向の中間部に腰部押し当て部１１が設けられるとともに、長さ方向の一端部に腹部押し当て部１２が設けられたベルト本体１３と、低線量率放射線を発生し、かつ腰部押し当て部１１と腹部押し当て部１２とに、それぞれ複数個ずつ互いに離間して固定された球状北投石１４とを備えている。
【００１７】
以下、これらの部品を具体的に説明する。
図１および図２に示すように、ベルト本体１３は、厚さ数ｍｍ、長さ９０〜１１０ｃｍ、長さ方向の中間部の幅が１０〜１５ｃｍ、長さ方向の両端部の幅が５〜１０ｃｍの発泡性軟質合成樹脂からなる帯体である。ベルト本体１３の寸法は、着用者のウエストサイズに合わせて適宜変更される。例えば、ウエストサイズが６０〜１００ｃｍの場合、ベルト本体１３の長さは９０ｃｍである。
【００１８】
ベルト本体１３の長さ方向の他端部の裏面には面ファスナの雄部１５が縫着され、この雄部１５に対する面ファスナの雌部１６が、ベルト本体１３の長さ方向の一端部の表面に縫着されている。
腰部押し当て部１１は、略横長矩形状の２枚の織布１７を糊付けしたもので（図３）、腹部押し当て部１２は、略横長矩形状の２枚の織布を糊付けしたものである（図５）。腰部押し当て部１１は、ベルト本体１３の長さ方向の中間部の裏面に縫着された布製の腰部用ポケット３０に、図３の上方から出し入れ自在に収納されている。また、腹部押し当て部１２は、ベルト本体１３の長さ方向の一端部の裏面に縫着された布製の腹部用ポケット３１に、図５の右方向から出し入れ自在に収納されている。
各球状北投石１４は、北投石の粉末を補強繊維などの添加物とともに金型に投入し、その後、この金型に高圧を作用させて、直径６〜８ｍｍの球体に加工したものである（図３および図４）。各球状北投石１４は、腰部押し当て部１１および腹部押し当て部１２に千鳥足に固定されている。その固定方法は、腰部押し当て部１１の２枚の織布１７および腹部押し当て部１２の２枚の織布１７をそれぞれ糊付けする際、対応する２枚の織布１７に挟み込んで固定する方法が採用されている。なお、球状北投石１４の使用個数、配列などは任意である。
【００１９】
次に、図１〜図６を参照して、この発明の実施例１に係る腰ベルト１０の使用方法を説明する。
図６に示すように、まず、ベルト本体１３の腰部押し当て部１１を着用者の腰部に当てがい、腰ベルト１０を腰部に巻き付け、面ファスナの雄部１５と面ファスナの雌部１６とを掛止する。このとき、ベルト本体１３の腹部押し当て部１２が、着用者の腹部に当てがわれる。
このように、腰ベルト１０を着用者の腰回りに装着することで、腰部をサポートするとともに、腰部と腹部とに、複数の球状北投石１４がそれぞれ離間状態で配置される。その結果、各球状北投石１４に含まれるストロンチウムから、腰部および腹部に低線量率放射線がそれぞれ照射され、これによって人体の前後方向から腰部の筋肉の緊張が徐々に緩和されて行く。しかも、球状北投石１４の球体（セラミックボール）としての指圧効果も相乗的に加わり、腹部の筋肉の血行が十分に促進され、最終的に高い腰痛の改善効果が得られる。
【００２０】
また、北投石に含まれた微量のストロンチウムによって、種々の放射線ホルミシス効果も発揮される。すなわち、低線量率放射線の腰部および腹部への照射により、着用者の抗酸化系酵素が活性され、老化防止効果およびガン抑制効果が期待できるとともに、免疫細胞が活性化することで、風邪、インフルエンザにかかりにくい体質への改善が期待できる。
なお、ストロンチウムの放射線の影響を腰ベルト１０の外に及ぼさないように、ベルト本体１３の裏面のうち、腰部用ポケット３０および腹部用ポケット３１により覆われた部分に、それぞれ放射性遮蔽シートを積層してもよい。放射性遮蔽シートとしては、例えば、ＪＩＳ Ｚ４８０１に記載されたＸ線遮へい用含鉛ゴムシート、含鉛塩化ビニルシートなどを採用することができる。
【産業上の利用可能性】
【００２１】
この腰ベルトは、腰痛の高い改善効果が期待できる技術として有用である。
【符号の説明】
【００２２】
１０  腰ベルト、
１１  腰部押し当て部、
１２  腹部押し当て部、
１３  ベルト本体、
１４  球状北投石。
【図１】
2014147468.tif 000003
【図２】
2014147468.tif 000004
【図３】
2014147468.tif 000005
【図４】
2014147468.tif 000006
【図５】
2014147468.tif 000007
【図６】
2014147468.tif 000008